(57)【要約】【課題】複数ある吐出モードのうち特定の吐出モードへの不用意な切り換えを抑制することができると共に、必要時には当該特定の吐出モードへの切り換えを容易に行うことができる切換コックを提供する。【解決手段】切換弁２５を操作レバー３９を用いて回動させて、複数の吐出モードのうち特定の吐出モードへ切り換える場合、該特定の吐出モードの動作位置の手前位置において、操作レバー３９と連動して移動する第１係合部である係止片４７ａと第２係合部である係合凸部が当接係合する。切換抑制解除手段である抑制解除スイッチ４７を用いて係止片４７ａを切換許容位置へ移動させると係止片４７ａと係合凸部の当接係合は解除される。【選択図】      図２
2004169757.tif 000002
【特許請求の範囲】
【請求項１】
流体が導入される弁収容室内に外部操作に基づき複数ある動作位置のうち何れか一つの動作位置に切換動作される切換弁を有し、当該切換弁の切換動作により、前記弁収容室内から流体を前記切換弁の各動作位置と個別対応する複数の吐出モードで導出可能な構成とした切換コックにおいて、
前記切換弁における各動作位置のうち特定の動作位置への切換弁の切換動作を抑制する切換抑制手段と、
前記切換抑制手段による前記切換弁の切換動作に対する抑制状態を解除するための切換抑制解除手段とを備えた切換コック。
【請求項２】
前記切換抑制手段は、前記切換弁の切換動作時に連動して移動する第１係止部と、当該第１係止部の移動軌跡上に設けられた第２係止部とを備え、外部操作に基づき前記切換弁が他の動作位置から前記特定の動作位置に切り換わる手前位置で、前記第１係止部及び第２係止部が係合することにより前記特定の動作位置への切換弁の切換動作を抑制する請求項１記載の切換コック。
【請求項３】
前記第１係止部は、前記第２係止部と常には係合可能な切換抑制位置と、前記第２係止部と係合不能な切換許容位置との二位置間で移動可能な構成とされ、前記切換抑制解除手段は、外部操作に基づき前記第１係止部を前記切換抑制位置から前記切換許容位置へ移動させることにより前記切換抑制手段による抑制状態を解除する請求項２記載の切換コック。
【請求項４】
前記切換弁は、前記弁収容室内で往復回動することにより前記各動作位置に切換動作される構成とされている請求項１〜請求項３のうちいずれか一項記載の切換コック。
【発明の詳細な説明】
【０００１】
【発明の属する技術分野】
本発明は、例えば、水道の蛇口等に取り付けられ、複数ある吐出モードを選択的に切り換える切換コックに関するものである。
【０００２】
【従来の技術】
従来、例えばキッチン等に設けられる水道蛇口において、一つの蛇口から多種類の吐出モードを得ようとする場合には、その一つの蛇口に切換コックが取り付けられる。即ち、切換コックの操作（回動操作等）に基づき、複数ある吐出モードのうちから任意の一つの吐出モードを選択できるように構成される。そこで、従来から、このような切換コックの一例として、例えば特許文献１に記載されるような切換コックが提案されている。
【０００３】
この特許文献１の切換コックは、当該切換コックに作動連結された切換レバーの外部操作により、四種類ある吐出モードのうち何れか一つの吐出モードに切り換わる構成とされている。即ち、この切換コックでは、原水を浄水器により浄化し、その浄水を吐出する浄水ストレートモード、浄水をシャワー吐出する浄水シャワーモード、原水をシャワー吐出する原水シャワーモード、及び浄水器に原水を逆流させて逆洗浄水を吐出する逆洗ストレートモードという四種類の吐出モード間で切り換えが行われる。なお、前記逆洗ストレートとは、数日又は数週間に一度、浄水器の濾過膜に付着した汚れを洗い落とすために流水を通常の浄化方向とは逆の方向に向けたモードである。
【０００４】
【特許文献１】
特開平１１−４４３７０号公報（図１、２）
【０００５】
【発明が解決しようとする課題】
ところが、上記特許文献１の切換コックは、多種類の吐出モード間の切換操作を一つの切換レバーで行うので、吐出モードの切り換え間違いを起こすおそれがあった。また、逆洗浄ストレートの吐出モードは、他の吐出モードに比して使用頻度も少なく、かつ吐出される流水は汚れていることから、誤飲の防止を図るためにも、かかる特定の吐出モード（特許文献１では逆洗浄ストレートの吐出モード）には不用意に切り換わらないような機構が求められていた。
【０００６】
本発明は、前述した事情に鑑みてなされたものであって、その目的は、複数ある吐出モードのうち特定の吐出モードへの不用意な切り換えを抑制することができると共に、必要時には当該特定の吐出モードへの切り換えを容易に行うことができる切換コックを提供することにある。
【０００７】
【課題を解決するための手段】
上記目的を達成するために、請求項１に記載の発明は、流体が導入される弁収容室内に外部操作に基づき複数ある動作位置のうち何れか一つの動作位置に切換動作される切換弁を有し、当該切換弁の切換動作により、前記弁収容室内から流体を前記切換弁の各動作位置と個別対応する複数の吐出モードで導出可能な構成とした切換コックにおいて、前記切換弁における各動作位置のうち特定の動作位置への切換弁の切換動作を抑制する切換抑制手段と、前記切換抑制手段による前記切換弁の切換動作に対する抑制状態を解除するための切換抑制解除手段とを備えたことを要旨とした。
【０００８】
請求項２に記載の発明は、請求項１に記載の発明において、前記切換抑制手段は、前記切換弁の切換動作時に連動して移動する第１係止部と、当該第１係止部の移動軌跡上に設けられた第２係止部とを備え、外部操作に基づき前記切換弁が他の動作位置から前記特定の動作位置に切り換わる手前位置で、前記第１係止部及び第２係止部が係合することにより前記特定の動作位置への切換弁の切換動作を抑制することを要旨とした。
【０００９】
請求項３に記載の発明は、請求項２に記載の発明において、前記第１係止部は、前記第２係止部と常には係合可能な切換抑制位置と、前記第２係止部と係合不能な切換許容位置との二位置間で移動可能な構成とされ、前記切換抑制解除手段は、外部操作に基づき前記第１係止部を前記切換抑制位置から前記切換許容位置へ移動させることにより前記切換抑制手段による抑制状態を解除することを要旨とした。
【００１０】
請求項４に記載の発明は、請求項１から請求項３のうちのいずれか一項に記載の発明において、前記切換弁は、前記弁収容室内で往復回動することにより前記各動作位置に切換動作される構成としたことを要旨とした。
【００１１】
【発明の実施の形態】
（第１の実施形態）
以下、本発明を切換抑制機能付き切換コックに具体化した一実施形態を図１〜図１６に従って説明する。
【００１２】
図１に示すように、この実施形態の切換コック１１はキッチンに配置され、開閉弁１２を備えた蛇口１３の先端部に装着されている。又、この切換コック１１には、第１連通管１４及び第２連通管１５を介して浄水器１６が接続されている。そして、切換コック１１の側面に付設された操作レバー３９を回動操作することにより、蛇口１３から吐出される流体（原水又は浄水）の吐出モードを複数の吐出モードに切り換え可能に構成されている。
【００１３】
即ち、浄水ストレートモード、浄水シャワーモード、原水シャワーモード、及び逆洗ストレートモードという四種類の吐出モードのうち何れか一つの吐出モードに選択的に切り換えられる。なお、「浄水ストレートモード」は原水を浄水器１６に導いて浄水とした後、それをストレートに吐出する吐出モードであり、「浄水シャワーモード」は浄水をシャワー状態で吐出する吐出モードである。また、「原水シャワーモード」は原水をシャワー状態で吐出する吐出モードであり、「逆洗ストレートモード」は浄水器１６に原水を逆流させて浄水器１６の内部を洗浄した後ストレートに吐出する吐出モードである。
【００１４】
次に、前記切換コック１１の構成を図２及び図５に基づいて詳細に説明する。図２に示すように、弁本体ケース２１は例えば合成樹脂により一体に形成され、その内部には有底横円筒状をなす弁収容室２１ａが図２において右端を開放するように形成されている。弁本体ケース２１の上部中央には前記蛇口１３から原水を導入するための原水導入口２１ｂが形成され、該原水導入口２１ｂを取り巻くようにねじ筒２１ｃが一体に形成されている。該ねじ筒２１ｃの内側にはゴム製のシール板２２を介して蛇口１３に接続するための接続金具２３が接合され、該接続金具２３はねじ筒２１ｃに螺合された締付リング２４によりシール板２２に押圧されている。
【００１５】
前記弁本体ケース２１の弁収容室２１ａには切換弁機構Ｋ１を構成する切換弁２５が複数の角度位置（動作位置）を含む所定角度（この実施形態では１８０度）範囲内で往復回動可能に収容されている。この切換弁２５は、有底横筒状の第１区画体２５ａと、肉厚円板状の第２区画体２５ｂと、第１区画体２５ａと第２区画体２５ｂを連結する柱状の連結体２５ｃと、前記弁収容室２１ａから右方に突出する操作ロッド２５ｄとを備えている。そして、この実施形態では前記第１区画体２５ａと弁収容室２１ａの左側空間とによって形成される室を第１弁室Ｒ１とし、第１区画体２５ａ、第２区画体２５ｂ及び弁収容室２１ａの右側の室によって形成される室を第２弁室Ｒ２としている。前記第１区画体２５ａの弁収容室２１ａ内周面と接する筒状部の二箇所には第１弁孔２５ｅ，第２弁孔２５ｆが図３に示すように円周方向に所定角度隔てて形成され、両弁孔２５ｅ，２５ｆが前記原水導入口２１ｂと連通することにより原水が第１弁室Ｒ１に導かれるようになっている。
【００１６】
前記第１弁室Ｒ１に導かれた原水は、弁本体ケース２１に形成した第１開口２１ｄから前記第１連通管１４を通して浄水器１６に供給される。この浄水器１６により浄化された浄水は、弁本体ケース２１に形成した第２開口２１ｅから前記第２弁室Ｒ２内に導かれる。又、前記第１区画体２５ａの筒部外周面には前記第１弁孔２５ｅ及び第２弁孔２５ｆと原水導入口２１ｂとの連通が遮断された角度位置において、原水導入口２１ｂからの原水を第２弁室Ｒ２に導くための原水通路２５ｇが切り欠き形成されている。
【００１７】
前記弁本体ケース２１の下部には前記第２弁室Ｒ２と連通するように第１吐出口２１ｆと第２吐出口２１ｇが切換弁２５の軸線と平行する方向に所定間隔をおいて隣接するように形成されている。前記第１区画体２５ａの筒部外周面には前記第１弁孔２５ｅ及び第２弁孔２５ｆと原水導入口２１ｂとの連通が遮断された角度位置において、前記第１吐出口２１ｆを閉鎖する第１弁部２５ｈが形成されている。第１吐出口２１ｆと対応するように本体ケース２１の下部には収容筒２１ｈが一体に形成され、該収容筒２１ｈには整流筒３０が挿入され、原水又は浄水が切換コック１１の下方にストレートに吐出される。
【００１８】
一方、前記第２吐出口２１ｇにはゴム製の弁座３１が嵌合され、該弁座３１の上部には切換弁機構Ｋ１を構成する球状弁体３２が接触離脱可能に支持されている。この球状弁体３２は、切換弁２５の第１区画体２５ａと第２区画体２５ｂとの間に連結固定した弁作動体２５ｉによって前記弁座３１から球状弁体３２を浮かせる開放位置と、球状弁体３２が弁座３１を閉鎖する閉鎖位置との間で位置切り換え可能である。なお、図４に示すように、前記弁作動体２５ｉには、原水ストレートモードにおいて、第２開口２１ｅを閉鎖し得る第２弁部２５ｊが一体に形成されている。
【００１９】
前記切換弁２５の第１区画体２５ａ及び第２区画体２５ｂの外周面には第１及び第２のシールリング２６，２７が取着され、第１弁孔２５ｅ、第２弁孔２５ｆの外側には第３シールリング２８、第４シールリング２９が設けられている。前記第３シールリング２８及び第４シールリング２９は、図６〜図８に示すように、円環状をなすゴム製のリングであり、その径方向に沿う平面で切った断面形状は、内側リップ部２８ａ，２９ａと外側リップ部２８ｂ，２９ｂ及びパッキン本体としての連結部２８ｃ，２９ｃからなる略Ｕ字形状をなしている。そして、前記第３シールリング２８及び第４シールリング２９は、前記内側リップ部２８ａ，２９ａと外側リップ部２８ｂ，２９ｂの各先端部を切換弁２５の径方向外方側に向けた状態で、前記第１弁孔２５ｅ及び第２弁孔２５ｆの周囲に形成した環状溝２５ｋ内に装着されている。そして、その装着状態では各リップ部２８ａ，２９ａの先端側部位が弁収容室２１ａの内周面に屈曲した状態で接触することにより、シール機能を果たすようにしている。
【００２０】
前記弁本体ケース２１の下部には前記収容筒２１ｈと同心状にねじ筒２１ｉが一体形成されている。前記両筒２１ｈ，２１ｉの間にはドーナッツ板状の複数の小孔３３ａを有する整流板３３が水平に嵌合され、前記ねじ筒２１ｉに螺合したシャワーキャップ３４によって整流板３３の位置規制を行う。なお、前記整流板３３には前記弁座３１の下面に当接して該弁座３１の位置規制を行うための支持部３３ｂが一体に形成されている。また、図２及び図３において、符号３５，３６はシールリングである。
【００２１】
次に、前記切換弁２５の回動操作を行う操作機構Ｋ２について説明する。
図２に示すように、前記弁本体ケース２１の右端開口部には切換弁２５の操作ロッド２５ｄを外部に突出する孔３７ａを有する位置規制体３７が嵌合固定され、前記切換弁２５の第２区画体２５ｂの右側面に当接して切換弁２５の右方向への抜けだしを防止している。また、前記位置規制体３７の中心部から外部に突出した操作ロッド２５ｄの外周面にはボールホルダ３８が嵌合され、該ボールホルダ３８の左端部に形成したボス部３８ａには、前記位置規制体３７に形成した係止突起３７ｂを係合する係止凹部３８ｂが形成されている。そして、前記位置規制体３７に対するボールホルダ３８の組み付け状態において、前記係止突起３７ｂと係止凹部３８ｂとが係合することにより、ボールホルダ３８の回動が阻止されている。
【００２２】
前記切換弁２５の操作ロッド２５ｄの先端部（図２において右端部）には操作レバー３９の基端部に一体形成した筒状部３９ａが嵌合され、ビス４０により締め付け固定されている。また、前記操作レバー３９には前記ボールホルダ３８の外周面に嵌合される筒状部３９ｂが一体に形成され、両筒状部３９ａ，３９ｂの間には、コイルバネ４１及び押圧具４２を収容する筒部３９ｃが操作レバー３９の回動軸線に沿う方向へ延びるように設けられている（図９参照）。前記押圧具４２の先端面には半球面状の凹部が形成されており、その凹部にボール４３が転動自在に保持されている。そして、前記筒部３９ｃはボールホルダ３８に形成した前記ボール４３を係止するための第１〜第４の係止凹部３８ｃ〜３８ｆ（図１６参照）のいずれかに向かって開口するように形成されている。従って、前記ボール４３は、コイルバネ４１で付勢された押圧具４２により、所定の角度位置において前記第１〜第４の係止凹部３８ｃ〜３８ｆのいずれかに押圧係止されるようになっている。
【００２３】
また、図９〜図１１に示すように、前記操作レバー３９における筒状部３９ａと筒状部３９ｂの間には、コイルバネ４６と切換抑制解除手段としての抑制解除スイッチ４７とを収容するスイッチ収容部３９ｄが、操作レバー３９の摘み部３９ｅとは径方向において反対側となる位置に形成されている。そして、このスイッチ収容部３９ｄと対応する位置で、前記操作レバー３９の筒状部３９ａには前記抑制解除スイッチ４７の頭部を挿通する孔３９ｆが貫通形成されている。また、図２，図１０及び図１１に示すように、前記抑制解除スイッチ４７の基端部には、第１係止部としての係止片４７ａが切換弁２５の回動軸線に沿う方向へ突設されている。従って、前記抑制解除スイッチ４７は、コイルバネ４６により常には径方向外方に付勢され、前記係止片４７ａが前記筒状部３９ａの内周面（孔３９ｆの周縁部）に当接係合することにより、その頭部を前記孔３９ｆから外部に突出した状態とされる（図１１（ａ）等参照）。
【００２４】
また、図２及び図９に示すように、前記ボールホルダ３８の右端側にはストッパ部３８ｇが形成されており、操作レバー３９が図９において時計回り方向へ回動された際には前記筒部３９ｃが当接し、当該操作レバー３９のそれ以上の回動を阻止するようにされている。また、前記ボールホルダ３８の右端側において、前記ストッパ部３８ｇよりも時計回り方向へ前記係止片４７ａの幅方向寸法と略同一距離だけ離れた位置には、第２係止部としての係合凸部３８ｈが前記操作レバー３９の回動操作に伴う前記係止片４７ａの移動軌跡上に位置するように形成されている。そして、操作レバー３９が図９において反時計回り方向へ回動された際には、当該係合凸部３８ｈに前記係止片４７ａが当接し、操作レバー３９のそれ以上の回動を阻止するようにされている。なお、本実施形態では、前記係止片（第１係止部）４７ａと前記係合凸部（第２係止部）３８ｈにより切換抑制手段が構成されている。また、図２に示す符号４５は第１弁室Ｒ１の圧力が異常高圧となった場合に、外部に放圧するリリーフ弁である。
【００２５】
次に、前記のように構成した本実施形態の切換コック１１の作用を説明する。
最初に各吐出モードについて説明する。
（浄水ストレートモード）
図３及び図１２（ａ），（ｂ）は、操作機構Ｋ２の操作レバー３９によって切換弁２５が回動されて浄水ストレートモードに保持された状態を示す。図１２（ａ）に示すように第１弁孔２５ｅが原水導入口２１ｂに連通され、第２弁孔２５ｆが弁収容室２１ａの内周面によって閉鎖され、原水通路２５ｇは、第２弁室Ｒ２と対応し、図１２（ｂ）に示すように球状弁体３２が第２吐出口２１ｇの弁座３１を閉鎖し、第２開口２１ｅが開放されている。
【００２６】
従って、蛇口１３からの原水は原水導入口２１ｂから第１弁孔２５ｅを経て第１弁室Ｒ１に流れ、第１開口２１ｄから第１連通管１４、浄水器１６に導かれ、ここで浄水となる。この浄水は、第２連通管１５、第２開口２１ｅを通って、第２弁室Ｒ２に導かれ、第１吐出口２１ｆから外部にストレートに吐出される。
（浄水シャワーモード）
次に、操作レバー３９を９０度回転して切換弁２５を同角度回動すると、図１３（ａ）に示すように第１弁孔２５ｅと原水導入口２１ｂとの連通が遮断されて、第２弁孔２５ｆが原水導入口２１ｂと連通され、原水通路２５ｇは不作動状態に保持され、第１弁部２５ｈにより第１吐出口２１ｆが閉鎖される。さらに、切換弁２５と同期回動する弁作動体２５ｉにより球状弁体３２が図１３（ｂ）に示すように持ち上げられて第２吐出口２１ｇが開放され、第２開口２１ｅが開放状態に保持される。
【００２７】
従って、蛇口１３からの原水は原水導入口２１ｂから第２弁孔２５ｆを経て第１弁室Ｒ１に流れ、第１開口２１ｄから第１連通管１４、浄水器１６に導かれ、ここで浄水となる。この浄水は、第２連通管１５、第２開口２１ｅを通って、第２弁室Ｒ２に導かれる。この浄水は、第１吐出口２１ｆから吐出されることなく、第２吐出口２１ｇから整流板３３の孔３３ａを経て、シャワーキャップ３４の多数の小孔３４ａからシャワーとして吐出される。
（原水シャワーモード）
次に、操作レバー３９をさらに４５度回動すると、図１４（ａ）に示すように、第１弁孔２５ｅ及び第２弁孔２５ｆが弁収容室２１ａの内周面によって共に閉鎖される。そして、第１弁室Ｒ１から浄水器１６への原水の供給が遮断されるとともに、原水通路２５ｇが原水導入口２１ｂと対応し、原水が第２弁室Ｒ２内へ導かれ、第１弁部２５ｈにより第１吐出口２１ｆが閉鎖状態に保持される。又、このモードでは図１４（ｂ）に示すように、球状弁体３２が依然として第２吐出口２１ｇの弁座３１を開放した状態に保持され、かつ第２弁部２５ｊにより第２開口２１ｅが閉鎖されので、第２弁室Ｒ２内の原水は浄水器１６側へ逆流することなく、第２吐出口２１ｇからシャワーモードで吐出される。
（逆洗ストレートモード）
次に、操作レバー３９をさらに４５度回動すると、図１５（ａ）に示すように、第２弁孔２５ｆが閉鎖されたままの状態に保持され、かつ第１弁孔２５ｅが第１吐出口２１ｆと連通し、第１弁室Ｒ１から浄水器１６への原水の供給が遮断されたままの状態に保持される。又、原水通路２５ｇが原水導入口２１ｂと対応したままに保持され、原水が第２弁室Ｒ２内へ導かれる。さらに、このモードでは図１５（ｂ）に示すように、弁作動体２５ｉが球状弁体３２から離れて該弁体３２が第２吐出口２１ｇの弁座３１を閉鎖するとともに、第２弁部２５ｊが第２開口２１ｅを開放する。このため、第２弁室Ｒ２内の原水が第２開口２１ｅから第２連通管１５を通って浄水器１６に逆流し、浄水器１６内を洗浄する。その後、第１連通管１４を逆流して第１弁室Ｒ１内に導かれ、第１弁孔２５ｅ及び第１吐出口２１ｆを通して逆流洗浄水がストレートに外部に吐出される。
【００２８】
次に、前記各吐出モードと個別対応する各角度位置（動作位置）へ切換弁２５を操作レバー３９の回動操作に基づき切換動作させた際に、前記係止片４７ａと係合凸部３８ｈとがどのような位置関係となるかについて説明する。
【００２９】
さて、前記操作レバー３９は図１６（ａ）に示す角度位置状態から図１６（ｄ）に示す角度位置状態までの１８０度の範囲内において往復回動するように操作される。まず、図１６（ａ）は、浄水ストレートモード時における係止片４７ａと係合凸部３８ｈとの位置関係について示すものであり、このとき切換弁２５は、図１２（ａ）に示す浄水ストレートモード時の角度位置にある。そして、この浄水ストレートモード時においては、ボールホルダ３８に設けられた前記ストッパ部３８ｇに対して操作レバー３９に設けられた前記筒部３９ｃが接触状態にあるため、操作レバー３９は図１６（ａ）において時計回り方向へそれ以上の回転が阻止される。また、この角度位置においては、前記第１の係止凹部３８ｃにボール４３がコイルバネ４１の付勢力に基づき押圧係止されるため、操作レバー３９及び切換弁２５は浄水ストレートモードの角度位置状態に保持される。
【００３０】
次に、前記浄水ストレートモードから浄水シャワーモードにする場合は、操作レバー３９を図１６（ａ）の角度位置状態から反時計回り方向へ９０度回動させる。すると、前記切換弁２５が図１３（ａ）に示す浄水シャワーモード時の角度位置に切換動作され、この切換動作に連動して前記抑制解除スイッチ４７の係止片４７ａが操作レバー３９の筒状部３９ｂの内周面と接触した状態で反時計回り方向へ９０度移動する。そして、この角度位置においては、前記第２の係止凹部３８ｄに前記ボール４３が押圧係止されるため、操作レバー３９及び切換弁２５は図１６（ｂ）に示す浄水シャワーモードの角度位置状態に保持される。
【００３１】
また、前記浄水シャワーモードから原水シャワーモードにする場合は、操作レバー３９を図１６（ｂ）の角度位置状態から反時計回り方向へ４５度回動させる。すると、前記切換弁２５が図１４（ａ）に示す原水シャワーモード時の角度位置に切換動作され、この切換動作に連動して前記抑制解除スイッチ４７の係止片４７ａが操作レバー３９の筒状部３９ｂの内周面と接触した状態で反時計回り方向へ４５度移動する。そして、この角度位置においては、前記第３の係止凹部３８ｅに前記ボール４３が押圧係止されるため、操作レバー３９及び切換弁２５は図１６（ｃ）に示す原水シャワーモードの角度位置状態に保持される。
【００３２】
また次に、前記原水シャワーモードから逆洗ストレートモードにする場合は、操作レバー３９を図１６（ｃ）の角度位置状態から反時計回り方向へ更に４５度回動させる。ところが、図１６（ｄ）に示す逆洗ストレートモードの角度位置（特定の動作位置）の手前の位置において、前記係止片４７ａが係合凸部３８ｈに当接して係合するため、操作レバー３９は反時計回り方向へそれ以上の回転が阻止される。その結果、切換弁２５は逆洗ストレートモードの角度位置への不用意な切換動作が抑制される。
【００３３】
そこで、その切換抑制状態を解除して逆洗ストレートモードにするには、次のような操作が行われる。即ち、図１７に示すように、前記係止片４７ａを、操作レバー３９の回動操作に伴い周方向へ移動させた際において、前記係合凸部３８ｈと係合することになる切換抑制位置から係合不能となる切換許容位置へ移動させる。具体的には、抑制解除スイッチ４７の頭部を外部操作によりコイルバネ４６の付勢力に抗して押し下げる。そして、その状態のまま、操作レバー３９を反時計回り方向へ回動させ、図１６（ｄ）に示す角度位置状態のところで前記抑制解除スイッチ４７の押し下げ操作を解除する。すると、この角度位置において、前記第４の係止凹部３８ｆに前記ボール４３が押圧係止されるため、操作レバー３９及び切換弁２５は逆洗ストレートモードの角度位置状態に保持される。
【００３４】
なお、図１６（ｄ）に示す逆洗ストレートモードの角度位置状態から他のモード（例えば原水ストレートモード）の角度位置状態へ切換操作したい場合には、前述したように、操作レバー３９の回動操作時に係止片４７ａを図１６（ａ）〜（ｄ）の切換抑制位置から図１７に示す切換許容位置へ移動させればよい。また、逆洗ストレートモードの角度位置状態では、図１６（ｄ）に示すように、前記ストッパ部３８ｇに対して操作レバー３９の回動に連動して移動する前記係止片４７ａが接触状態にあるため、操作レバー３９は図１６（ｄ）において反時計回り方向へそれ以上の回転が阻止される。
【００３５】
上記実施形態の切換抑制機能付き切換コックによれば、以下のような特徴を得ることができる。
（１）上記実施形態では、複数の吐出モードに切り換える切換弁２５の切換動作のうち特定の吐出モード（逆洗ストレートモード）と個別対応する角度位置（動作位置）への切換動作を、その動作途中で抑制する切換抑制手段（係合凸部３８ｈ及び係止片４７ａ）を設けた。従って、上記特定の吐出モードへの不用意な操作レバー３９の操作による切り換え間違いを防止することができる。
【００３６】
（２）上記実施形態では、逆洗ストレートモードへ他の吐出モードから切り換えたいときには、抑制解除スイッチ（切換抑制解除手段）４７の押し下げ操作にて簡単に前記切換抑制手段（係合凸部３８ｈ及び係止片４７ａ）による切換抑制状態を解除できる。従って、必要時には前記他の吐出モードから特定の吐出モードである逆洗ストレートモードへの切換動作を容易に行うことができる。
【００３７】
（３）上記実施形態では、操作レバー３９と同期回動する係止片４７ａと当該係止片４７ａの移動軌跡上に設けられた係合凸部３８ｈにより切換抑制手段が構成され、切換弁２５が他の吐出モードの角度位置から特定の吐出モード（逆洗ストレートモード）の角度位置に切り替わる手前位置で両者が係合するようにした。従って、前記特定の吐出モード以外の他の吐出モード間での切換動作においては、何ら切換動作が抑制されることなく、スムーズに切換弁２５の切換動作を確保することができる。
【００３８】
（４）上記実施形態では、抑制解除スイッチ４７の押し下げ操作によって係止片４７ａが操作レバー３９の回動操作時に常には係合凸部３８ｈと当接係合する切換抑制位置から係合不能となる切換許容位置へ簡単に移動できるようにした。従って、操作レバー３９の回動操作と抑制解除スイッチ４７の押し下げ操作を片手だけで簡単に行うことができ、特定の吐出モードと他の吐出モードとの間の切換操作が煩雑になることもない。
【００３９】
（５）上記実施形態では、切換弁２５を弁収容室２１ａ内で往復回動させることにより各吐出モード間での切換動作が行われる構成とした。従って、切換抑制機能付き切換コックをコンパクトに作成することができる。
【００４０】
なお、上記実施形態は以下のように変更してもよい。
・上記実施形態では、逆洗ストレートモードを特定の吐出モードとし当該モードへの切り換え手前位置において切換弁２５の切換動作が抑制される構成としたが、別の吐出モード（例えば、原水シャワーモード）を特定の吐出モードとして切換動作が抑制されるように構成してもよい。
【００４１】
・上記実施形態では、操作レバー３９の回動操作に基づき切換弁２５は弁収容室２１ａ内で１８０度の角度範囲内を往復回動する構成とされていたが、時計回り方向及び反時計回り方向の何れの方向へも連続回動可能な構成としてもよい。その場合には、ストッパ部３８ｇを省略し、係合凸部３８ｈを一対の構成とし、それらを係止片４７ａの幅方向寸法と略等しい距離離れた二位置に形成すればよい。
【００４２】
・上記実施形態では、有底横筒状の弁収容室２１ａ内を同形状の第１区画体（筒状部）２５ａを備えた切換弁２５が往復回動することにより各吐出モードに切り換えられる構成としたが、切換弁２５を往復スライドさせ各吐出モードに切り換える構成としてもよい。
【００４３】
・上記実施形態では、抑制解除スイッチ４７の押し下げ操作により、係止片４７ａを切換抑制位置から切換許容位置へ移動させ、係止片４７ａと係合凸部３８ｈとの係合を解除したが、抑制解除スイッチ４７以外の手段で係止片４７ａを切換許容位置へ移動させる構成としてもよい。
【００４４】
・上記実施形態では、操作レバー３９の回動操作に連動して移動する係止片４７ａが係合凸部３８ｈと係合することにより切換抑制する構成としたが、磁石による吸引抵抗や摺動摩擦抵抗の増加等を利用して操作レバー３９の回動に伴う切換弁２５の切換動作を抑制するようにしてもよい。
【００４５】
・上記実施形態では、浄水ストレートモード、浄水シャワーモード、原水シャワーモード及び逆洗ストレートモードの４つの吐出モード間で切換動作を行う切換コックに具体化したが、吐出モードの種類は複数であればよく上記４つに限定されない。
【００４６】
【発明の効果】
以上、詳述したように、本願発明によれば、複数ある吐出モードのうち特定の吐出モードへの不用意な切り換えを抑制することができると共に、必要時には当該特定の吐出モードへの切り換えを容易に行うことができる。
【図面の簡単な説明】
【図１】切換コックの使用状態を示す斜視図。
【図２】切換コックの中央部縦断面図。
【図３】図２のＡ−Ａ線断面図。
【図４】図２のＢ−Ｂ線断面図。
【図５】弁本体ケース及びそれに組み付けられる部品の分解斜視図。
【図６】切換弁の斜視図。
【図７】環状パッキンの平面図。
【図８】図７のＥ−Ｅ線断面図。
【図９】図２のＣ−Ｃ線断面図。
【図１０】図９のＦ−Ｆ線断面図。
【図１１】図９のＧ−Ｇ線断面図であり、（ａ）は係止片が切換抑制位置にある状態を示し、（ｂ）は係止片が切換許容位置にある状態を示している。
【図１２】（ａ），（ｂ）は切換弁及び球状弁体が浄水ストレートモードに切り換え配置された状態を示す断面図。
【図１３】（ａ），（ｂ）は切換弁及び球状弁体が浄水シャワーモードに切り換え配置された状態を示す断面図。
【図１４】（ａ），（ｂ）は切換弁及び球状弁体が原水シャワーモードに切り換え配置された状態を示す断面図。
【図１５】（ａ），（ｂ）は切換弁及び球状弁体が逆洗ストレートモードに切り換え配置された状態を示す断面図。
【図１６】図２のＤ−Ｄ線断面図であり、（ａ）は浄水ストレートモードの角度位置状態を、（ｂ）は浄水シャワーモードの角度位置状態を、（ｃ）は原水シャワーモードの角度位置状態を、（ｄ）は逆洗ストレートモードの角度位置状態を示している。
【図１７】切換許容位置にある係止片と係合凸部との位置関係を示す説明図。
【符号の説明】
１１    切換抑制機能付切換コック
２１ａ  弁収容室
２５    切換弁
３８ｈ  係合凸部（切換抑制手段、第２係止部）
４７    抑制解除スイッチ（切換抑制解除手段）
４７ａ  係止片（切換抑制手段、第１係止部）
【図１】
2004169757.tif 000003
【図２】
2004169757.tif 000004
【図３】
2004169757.tif 000005
【図４】
2004169757.tif 000006
【図５】
2004169757.tif 000007
【図６】
2004169757.tif 000008
【図７】
2004169757.tif 000009
【図８】
2004169757.tif 000010
【図９】
2004169757.tif 000011
【図１０】
2004169757.tif 000012
【図１１】
2004169757.tif 000013
【図１２】
2004169757.tif 000014
【図１３】
2004169757.tif 000015
【図１４】
2004169757.tif 000016
【図１５】
2004169757.tif 000017
【図１６】
2004169757.tif 000018
【図１７】
2004169757.tif 000019